(57)【要約】【課題】外食産業等の厨房での、自動食器洗浄器の洗浄効率を上げる為に、直結して使用する軟水器において、炊飯用に使用する軟水を、流路途中より採取したり、食塩水で劣化したイオン交換樹脂を再生し、洗浄したり、小回りのできる軟水器を提供すること。【解決手段】軟水口コック１７と排水口コック１８それぞれ独立した二口コックと、軟水採取コック１４と、タンク１への直給水と食塩水吸入しながら給水との二方向切り替え給水コック８と、食塩水吸入と空気抜きの二機能を有するインジェクター付食塩水吸入コック１１とを設けた頭部２と、イオン交換樹脂３を満たしたタンク１と、該タンク１内部のイオン交換樹脂層３を通過せしめる、上部フィルター４と下部フィルター６とを有する導管５よりなる軟水器【選択図】図３
0003128301.tif 000002
【実用新案登録請求の範囲】
【請求項１】
軟水口コックと排水口コックそれぞれ独立した二口コックと、軟水採取コックと、タンクへの直給水と食塩水吸入しながら給水との二方向切り替え給水コックと、食塩水吸入と空気抜きの二機能を有するインジェクター付食塩水吸入コックとを設けた頭部と、イオン交換樹脂を満たしたタンクと、該タンク内部のイオン交換樹脂層を通過せしめる、上部フィルターと下部フィルターとを有する導管よりなる軟水器
【考案の詳細な説明】
【技術分野】
【０００１】本考案は、硬水を軟水にする軟水器に関するものである。
【背景技術】
【０００２】最近、家庭、特に外食産業等で、食器等の自動洗浄器が多く設置されるようになっている。該自動食器洗浄器の洗浄効率を上げるには、その洗浄水は、硬水より軟水を使用する方が望ましい。又、その洗浄水は、ぬるま湯程度の温水にして使用する方が、更に望ましい。更に又、炊飯にも軟水を使用すると、美味しく炊けることも知られている。
【考案の開示】
【考案が解決しようとする課題】
【０００３】  外食産業等の厨房では、自動食器洗浄器と、軟水器と、水道蛇口とを導管で直結せしめ、水道水を軟水器で軟水にして、食器等を効率よく洗浄せしめる軟水器が求められている。更に、洗浄効率を上げるため、軟水を温水にして洗浄せしめるため、ガス湯沸器等で予め暖め、温水で食器等を洗浄せしめる軟水器が求められている。
このように厨房等で自動食器洗浄器、水道蛇口との間に直結して使用する軟水器に於いては、設置された状態で、炊飯用の軟水を採取したり、軟水度を試薬でチェックするため軟水を採取したり、劣化したイオン交換樹脂を食塩水で再生したり、軟水器タンク内の空気を抜いたり、いろいろ、小回りの操作のできる軟水器が要望される。
本考案は、かかる要望を満たす軟水器を提供しようとするものである。
【考案が解決するための手段】
【０００４】本考案は、イオン交換樹脂３を入れた軟水器タンク１と、水道水を軟水化するため、該イオン交換樹脂３内を通過せしめる上部フィルター４、下部フィルター６、導管５を設けた頭部２と、更に、、二方向切り替え給水コック８と、水道水コック２１と、食塩水吸入コック１１付の空気抜き口機能を有するインジェクター付継ぎ手２０と、軟水採取コック１４と、軟水口コック１７と排水口コック１８とを設けたＴ字管Ｂ１９とを設けた軟水器構造にすることにより、厨房等で満足して使用できる、即ち、小回り操作のできる、簡便な軟水器を提供するものである。
【考案の効果】
【０００５】１；食塩水吸入コック１１には、食塩水吸入口として、又、空気抜き口としての二つの機能を持たせてある。
２；自動食器洗浄器５２と本考案軟水器と水道水５０蛇口とを連結し、又、自動食器洗浄器５２と本考案軟水器と湯沸器と水道水蛇口５０とを連結した状態に於いても、別に使用するための軟水採取機能、軟水度を試薬でチェックするための軟水採取機能、食塩水をイオン交換樹脂３に流し込んで再生せしめる再性機能、軟水器タンク１内の空気を抜く機能等小回りのできる軟水器機能を持たせた構造になっている。
３；本考案、軟水器タンク１表面、又は、近くに操作手順表を貼り付け、その操作手順表に沿って操作できるので、小回りの操作が簡単で便利である。
４：食塩水ポリタンク５８をステンレス流し台６０の上に置く事により、重力により濃い食塩水を導入することができる・
【考案を実施するための最良の形態】
【０００６】本考案、軟水器の軟水口コック１７と市販の自動食器洗浄器５２とを、軟水送り管１６で直結する。次に水道水コック２１と水道水蛇口５０とを、水道水導管５１で直結する。次に排水口コック１８を厨房の排水管に軟水排水管１３で直結しておく。次に、自動食器洗浄器５２の自動食器洗浄器排水口５４を、厨房の排水管に自動洗浄器排水管５５で直結しておく。これで本考案、軟水器の設置が完了する。【０００７】まず最初に、各コック全て閉じて置く。
１：軟水器の二方向切り替え給水コック８を軟水器側に切り替え、水道水コック２１、水道水蛇口５０とを開いて軟水器１に水道水を満たし、軟水器タンク内の空気を抜き、使用準備にする場合について説明する。
（ａ）排水口コック１８開き（ｂ）食塩水吸入コック１１を開き（ｃ）二方向切り替え給水コック８を９０度回し、軟水器方向側に開く。
このコック状態にして、水道水蛇口５０を半開きすると、軟水器タンク１内に水道水が満たされ、排水口コック１８よりオーバーフローし、次に、食塩水吸入コック１１より、空気が抜け、水道水が溢れたら、水道水蛇口５０を閉め、排水口コック１８、食塩水吸入コック１１を閉めて使用準備完了する。
２：軟水を自動食器洗浄器５２にを流し、食器を洗浄する操作を説明する。
（ａ）軟水口コック１７を開き、（ｂ）二方向切り替え給水コックは、軟水器方向側に開いたまま、（ｃ）水道水蛇口５０を開く。
水道水は軟水器で軟水にして自動食器洗浄器５２に流され、食器が効率よく洗浄される。軟水化し続けると、イオン交換樹脂３が劣化しＣａイオン、Ｍｇイオンを吸着できなくなるので、食塩水のＮａイオンで再生する必要がある。本実施例の軟水器では、原水硬度４５ＰＰＭの場合、イオン交換樹脂２０ｌなので、２０，０００ｌの軟水が採取される。【０００８】３：この再生操作について説明する。
予め、食塩２ｋｇを食塩水タンク５６に入れ、１５〜２０ｌの水でよく溶かしておく。食塩水吸入コック１１に食塩水吸入チューブ５７を挿入し、他端を前記食塩入タンク５６に入れておく。
（ａ）軟水口コック１７を閉じて、排水口コック１８開く。（ｂ）食塩水吸入コック１１を開き、（ｃ）二方向切り替え給水コック８は、食塩水吸入コック１１側に開き、（ｄ）水道水蛇口５０を開く。
水道水がイオン交換樹脂３中を通って、排水口コック１８より軟水排水管１３に流されるとき、水道水流速により、食塩水吸入コック１１よりインジェクター作用により、食塩水が吸入され約１５分〜２０分で再生が完了するので、水道水蛇口５０を閉じる。
４：再生が完了し、イオン交換樹脂の水洗について説明する。
（ａ）食塩水吸入コック１１を閉じて、（ｂ）排水口コック１８を閉じ、軟水口コック１７を開き（ｃ）そのまま、二方向切り替え給水コック８は、軟水器方向側に開き、（ｄ）水道水蛇口５０を開く
水道水は、このイオン交換樹脂３を水洗し、５分間で水洗が完了する。
５；再生されたかの検水する場合について説明する。
（ａ）排水口コック１８を閉じ（ｂ）軟水採取コック１４を開きコップに水を取ったら、軟水採取コック１４を閉める。
コップに取った水に硬度指示薬を一滴たらし、青色ならば再生完了。赤紫色であれば更に再生操作を繰り返す。
６；途中での空気抜き操作について説明する。
まず、全てのコックを閉じておく・
（ａ）二方向切り替え給水コック８は、軟水側に開き、（ｂ）水道水コック２１、水道水蛇口５０を開いて軟水器に水道水を入れ、内圧が一定圧になったら水道水蛇口５０を閉じる。（ｄ）食塩水吸入コック１１を、ゆっくり開いて空気を抜き、水が出たら空気抜き完了。（ｅ）最後に、食塩水吸入コック１１を閉めておく。
【実施例】
【０００９】    以下、本考案軟水器の一実施例を図面により説明する。
（図３）本考案軟水器の構造を示す一部断面図で、（図４）はその上面図を示す。
１は軟水器タンクで開口部に軟水器口金１−１が溶接されている。内部にはイオン交換樹脂３が入れられている。軟水器口金１−１には頭部２がＯリング２−１を介してねじ込まれている。軟水器タンク１の内部には、上フィルター４がねじ込まれ、更に、導管５がＯリング４−１を介して差し込まれ、ネジ４−２で固定されている。導管５の下端には、下フィルター６がネジ６−１で固定されている。頭部２には、水道水導入管７、二方向切り替え給水コック８がねじ込まれている。また、該二方向切り替え給水コック８には、下方に水道水コック２１が、右側にはエルボーＡ９がねじ込まれている。頭部２の上面には、エルボーＢ１２、インジェクター付継ぎ手２０がねじ込まれている。更に、インジェクター付継ぎ手２０には、食塩水吸入コック１１がねじ込まれている。インジェクター付継ぎ手２０とエルボーＡ９との間には、蛇管１０が袋ナット１０−１で固定されている。頭部２の左側には、Ｔ字管Ａ１５、Ｔ字管Ｂ１９がねじ込まれている。Ｔ字管Ａ１５には軟水採取コック１４が、Ｔ字管Ｂ１９の上部に軟水口コック１７が、下部に排水口コック１８がねじ込まれている。【００１０】更に、解り易くするため、各部分図にして説明する。
（図５）は、頭部２の断面図で、（図６）は、その上面図を示す。
２−１，２−２はＯリング、２−３は水道水導入口、２−４は食塩水導入口、２−５は軟水流出口である。矢印は水道水の流れ方向を示す。
（図７）は、軟水器タンク１のイオン交換樹脂３を濾す上部フィルター４、導管５下部フィルター６の部組断面図で（図８）は、その下方よりの平面図を示す。
上部フィルター４の外周には八個の水道水通過口４−３が設けられ、、ステンレス網４−３が巻かれている。下部フィルター６は特徴ある構造で、スプリング６−２、座金６−３をステンレス網６−４で巻きつかれていて、水圧に耐え、イオン交換樹脂３を濾し、軟水にして導管５で上方に流している。【００１１】（図９）は、二方向切り替え給水コック８の正面図で（図１０）は、その側面図を示す。
８−１は、水道水導入口で、８−２は軟水器タンク１方向へ、８−３は、食塩水吸入コック１１への切り替え口である。８−４はその切り替えハンドルである。
（図１１）は，食塩水吸入コック１１の正面図で、（図１２）はその上面図を示す。
１１−１はハンドルで、１１−２は、食塩水チューブ５８を差し込む口金、１１−３はインジェクター付継ぎ手２０へのねじ込み用ネジ部である。
（図１３）Ａは、インジェクター付継ぎ手２０の断面図。Ｂはその側面図を示す。
２０−１は、食塩水吸入コック１１をねぎ込むネジ部、２１−２，２１−３は連結ネジ部、２０−４、２０−５は水道水の流速を変えるノズル部である。矢印は流れ方向を示す。
（図１４）は軟水採取コック１４の正面図で、（図１５）はその上面図を示す。
１４−１はハンドルで、１４−２はねじ込み部、１４−３は軟水採取口である。
（図１６）Ａは蛇管１０の側面図で、Ｂはその正面図を示す。
（図１７）は、Ｔ字管Ｂ１９に、軟水口コック１７と排水口コック１８のねじ込んだ時の正面図で、（図１８）は、その側面図を示す。矢印は流れ方向を示す。
【図面の簡単な説明】
【００１２】
【図１】は本考案軟水器を厨房のステンレス流し台６０の上の自動食器洗浄器５２に直結して使用する時の見取図
【図２】（図１）の別の使用方法で食塩ポリタンク５８をステンレス流し台６０の上に置き、食塩水を重力の作用で送り込む様にした時の見取図
【図３】本考案軟水器の構造を示す一部断面図
【図４】（図３）の上面図
【図５】本考案の頭部２の断面図
【図６】（図５）の上面図
【図７】本考案の軟水器タンク１のイオン交換樹脂３を濾す上部フィルター４、導管５、下部フィルター６の部組断面図
【図８】（図７）の下方よりの平面図
【図９】二方向切り替え給水コック８の正面図
【図１０】（図９）の側面図
【図１１】食塩水吸入コック１１の正面図
【図１２】（図１１）の上面図
【図１３】Ａはインジェクター付継ぎ手２０の断面図。Ｂは側面図
【図１４】軟水採取コック１４の正面図
【図１５】（図１４）の上面図
【図１６】Ａは蛇管１０の側面図とＢは正面図
【図１７】Ｔ字管付軟水口コック１７と排水口コック１８の正面図
【図１８】（図１７）側面図
【符号の説明】
【００１３】１  軟水器タンク  １−１  軟水器タンク口金    ２  頭部
３  イオン交換樹脂                            ４  上部フィルター
５  導管                                      ６  下部フィルター
７  水道水導入管                              ８  二方向切り替え給水コック
９  エルボーＡ                                １０  蛇管
１１  食塩水吸入コック                        １２  エルボーＢ
１３  軟水排水管                              １４  軟水採取コック
１５  Ｔ字管Ａ                                １６  軟水送り管
１７  軟水口コック                            １８  排水口コック
１９  Ｔ字管                                  ２０  インジェクター付継手
２１  水道水コック
５０  水道水蛇口                              ５１  水道水道管
５２  自動食器洗浄器                          ５３  自動食器洗浄器洗浄水口
５４  自動食器洗浄器排水口                    ５５  自動食器洗浄器排水管
５６  食塩水タンク                            ５７  食塩水チューブ
５８  食塩水ポリタンク                        ５９  食塩水コック
６０  ステンレス流し台
【図１】
0003128301.tif 000003
【図２】
0003128301.tif 000004
【図３】
0003128301.tif 000005
【図４】
0003128301.tif 000006
【図５】
0003128301.tif 000007
【図６】
0003128301.tif 000008
【図７】
0003128301.tif 000009
【図８】
0003128301.tif 000010
【図９】
0003128301.tif 000011
【図１０】
0003128301.tif 000012
【図１１】
0003128301.tif 000013
【図１２】
0003128301.tif 000014
【図１３】
0003128301.tif 000015
【図１４】
0003128301.tif 000016
【図１５】
0003128301.tif 000017
【図１６】
0003128301.tif 000018
【図１７】
0003128301.tif 000019
【図１８】
0003128301.tif 000020